(57)【要約】      （修正有）【課題】携帯電話の外観が損なわれることなく、広告機能の向上を図ることを可能とする広告表示シートを提供する。【解決手段】非広告表示領域１０は、一対の第１切り込み２０ａ及び第２切り込み２０ｂの内側に設けられた舌片領域１０ａと、第２切り込み２０ｂの外側に設けられた挟み込み領域１０ｂとを有し、舌片領域１０ａは、背面に沿って配置され、挟み込み領域１０ｂは、携帯電話２が折畳まれた状態で、キー配置面と画像表示面との間に挟まれる。【選択図】図１
0003135796.tif 000002
【実用新案登録請求の範囲】
【請求項１】
キーが配置されたキー配置面及び前記キー配置面の反対側に設けられた背面を有する第１筐体と、画像が表示される画像表示面を有する第２筐体とを有する折畳み型の携帯電話に取り付けられ、可撓性のシート部材によって構成される広告表示シートであって、
前記携帯電話の広告情報が記される広告表示領域と、前記携帯電話の広告情報が記されない非広告表示領域とを有しており、
前記非広告表示領域には、前記携帯電話の両側面に沿って延びる切り込みである一対の第１切り込みと、前記非広告表示領域内において前記一対の第１切り込み間を連通する第２切り込みとが設けられており、
前記非広告表示領域は、前記一対の第１切り込み及び前記第２切り込みの内側に設けられた舌片領域と、前記第２切り込みの外側に設けられた挟み込み領域とを有しており、
前記舌片領域は、前記背面に沿って配置される領域であり、
前記挟み込み領域は、前記携帯電話が折畳まれた状態で、前記キー配置面と前記画像表示面との間に挟まれる領域であることを特徴とする広告表示シート。
【請求項２】
前記一対の第１切込みの間隔は、前記携帯電話の両側面の間隔と略等しいことを特徴とする請求項１に記載の広告表示シート。
【請求項３】
前記挟み込み領域は、前記キー配置面に接着される領域であることを特徴とする請求項１又は請求項２に記載の広告表示シート。
【考案の詳細な説明】
【技術分野】
【０００１】
本発明は、折畳み型の携帯電話に取り付けられる広告表示シートに関する。
【背景技術】
【０００２】
店頭などにおいて携帯電話の広告情報を顧客に知らせることが重要である。広告情報を顧客に知らせる方法として、携帯電話が陳列される陳列棚に、広告情報が記された広告票を取り付ける方法が挙げられる（例えば、特許文献１）。
【特許文献１】登録実用新案第３０４８６５８号公報
【考案の開示】
【考案が解決しようとする課題】
【０００３】
ここで、上述した背景技術では、陳列棚において各携帯電話が陳列されるレイアウトに応じて、広告票が取り付けられているため、各携帯電話のレイアウトを変更しようとすると、広告票を取り付け直さなければならない。
【０００４】
一方で、各携帯電話のレイアウトを容易に変更することを可能とするために、広告情報が記された広告表示シート（ＰＯＰ広告シート）を携帯電話の外面に接着剤などによって直接貼り付けることも考えられる。
【０００５】
ここで、ユーザに報知すべき広告は頻繁に変わることが想定されるため、広告表示シートが頻繁に貼り替えられることも考慮しなければならない。このようなケースでは、携帯電話の外面に接着剤が残ってしまい、携帯電話の外観が損なわれる可能性がある。
【０００６】
また、単に広告表示シートを携帯電話に貼り付けるだけでは、広告表示シートの厚みにもよるが、広告表示シートが前傾（又は、後傾）して曲がってしまう可能性もある。このように、広告表示シートが前傾（又は、後傾）して曲がってしまうと、広告表示シートに記された広告情報を顧客が見にくい。すなわち、広告表示シートによる広告機能が低下してしまう。
【０００７】
そこで、本発明は、上述した課題を解決するためになされたものであり、携帯電話の外観が損なわれることなく、広告機能の向上を図ることを可能とする広告表示シートを提供することを目的とする。
【課題を解決するための手段】
【０００８】
本考案の第１の特徴に係る広告表示シートは、キーが配置されたキー配置面及び前記キー配置面の反対側に設けられた背面を有する第１筐体と、画像が表示される画像表示面を有する第２筐体とを有する折畳み型の携帯電話に取り付けられ、可撓性のシート部材によって構成される広告表示シートであって、前記携帯電話の広告情報が記される広告表示領域と、前記携帯電話の広告情報が記されない非広告表示領域とを有しており、前記非広告表示領域には、前記携帯電話の両側面に沿って延びる切り込みである一対の第１切込みと、前記非広告表示領域内において前記一対の第１切り込み間を連通する第２切り込みとが設けられており、前記非広告表示領域は、前記一対の第１切り込み及び前記第２切り込みの内側に設けられた舌片領域と、前記第２切り込みの外側に設けられた挟み込み領域とを有しており、前記舌片領域は、前記背面に沿って配置される領域であり、前記挟み込み領域は、前記携帯電話が折畳まれた状態で、前記キー配置面と前記画像表示面との間に挟まれる領域であることを要旨とする。
【０００９】
本考案の第２の特徴は、本考案の第１の特徴に係り、前記一対の第１切込みの間隔は、前記携帯電話の両側面の間隔と略等しいことを要旨とする。
【００１０】
本考案の第３の特徴は、本考案の第１又は第２の特徴に係り、前記挟み込み領域は、前記キー配置面に接着される領域であることを要旨とする。
【考案の効果】
【００１１】
本考案によれば、携帯電話の外観が損なわれることなく、広告機能の向上を図ることを可能とする広告表示シートを提供することができる。
【考案を実施するための最良の形態】
【００１２】
次に、本考案に係る広告表示シートの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１３】
したがって、具体的な寸法などは以下の説明を参酌して判断すべきものである。また、図面相互間においても互いの寸法の関係や比率が異なる部分が含まれていることは勿論である。
【００１４】
（広告表示シートの構成）
本実施形態に係る広告表示シート１は、携帯電話に取り付けられる広告票である。図１は、本実施形態に係る広告表示シート１の正面図である。図２は、広告表示シート１を携帯電話２に取り付ける場面を説明するための図である。
【００１５】
広告表示シート１は、可撓性の矩形シート部材によって構成される。広告表示シート１としては、例えば、透光性を有するＰＥＴ樹脂シートを用いることができる。図１に示すように、広告表示シート１は、広告表示領域５と、非広告表示領域１０とを備える。
【００１６】
広告表示領域５は、広告表示シート１が取り付けられる携帯電話２の広告情報が記される領域である。
【００１７】
ここで、「携帯電話２の広告情報」とは、当該携帯電話２の販売を促進するために有用な情報である。具体的には、広告表示領域５に、「海外対応ケータイ」、「ワンセグ対応ケータイ」、「本日のおすすめ」などの表示を行う。これにより、需要者に、広告表示シート１が取り付けられた携帯電話２の特徴などを訴求する。なお、広告表示領域５には、携帯電話２がオーディオプレイヤー機能を有することを表す「ヘッドホン」の図形や、特定の「キャラクター」の図形などを表示してもよい。
【００１８】
非広告表示領域１０には、広告情報は記されない。図１に示すように、非広告表示領域１０は、広告表示領域５に連なる。非広告表示領域１０には、携帯電話２が挿通される切り込み２０が形成されている。
【００１９】
切り込み２０は、広告表示シート１が携帯電話２に取り付けられた場合に携帯電話２の両側面に沿って延びる切り込みである一対の第１切り込み２０ａと、非広告表示領域１０内において一対の第１切り込み２０ａ間を連通する第２切り込み２０ｂと、切り込み２０の両端に形成された円形孔１５ａ，１５ｂとを含む。
【００２０】
一対の第１切り込み２０ａは、所定の方向（広告表示領域５から離れる方向）に向かって、円形孔１５ａ，１５ｂから平行に延びる。一対の第１切り込み２０ａは、非広告表示領域１０内において形成されている。
【００２１】
ここで、一対の第１切り込み２０ａは、それぞれ所定の間隔で離間している。本実施形態では、図２に示すように、一対の第１切り込み２０ａどうしの間隔はＷ１である。一対の第１切り込み２０ａどうしの間隔Ｗ１は、携帯電話２の両側面の間隔（幅）Ｗ２と略同等である。
【００２２】
第２切り込み２０ｂは、一対の第１切り込み２０ａの一端どうしを結ぶように形成されている。従って、切り込み２０は、コの字形状を有する。なお、本発明は、切り込み２０の形状を限定するものではない。切り込み２０は、携帯電話２に取り付けることができる範囲において、種々の形状とすることができる。
【００２３】
円形孔１５ａ，１５ｂは、切り込み２０の両端である。図１に示すように、円形孔１５ａ，１５ｂでは、可撓性シート部材が円形状に小さくりぬかれている。本実施形態において、円形孔１５ａ，１５ｂは、広告表示領域５と非広告表示領域１０との境界付近に形成されている。
【００２４】
非広告表示領域１０は、図１に示すように、一対の第１切り込み２０ａ及び第２切り込み２０ｂの内側に設けられた舌片領域１０ａと、第２切り込みの外側に設けられた挟み込み領域１０ｂと、広告表示シート１が携帯電話２に取り付けられた場合に携帯電話２の両側面に配設される側面領域１０ｃとを有する。
【００２５】
図１に示すように、舌片領域１０ａは、広告表示領域５と切り込み２０とに囲まれた領域である。側面領域１０ｃは、切り込み２０の外側において、広告表示領域５と挟み込み領域１０ｂとに連通する。従って、挟み込み領域１０ｂ及び側面領域１０ｃは、舌片領域１０ａの外側に設けられている。
【００２６】
ここで、挟み込み領域１０ｂは、携帯電話２に接着される領域である。具体的には、挟み込み領域１０ｂの裏面（携帯電話２に接する面）には、樹脂接着剤１１が貼付されている。広告表示シート１が携帯電話２に取り付けられた場合において、挟み込み領域１０ｂは、樹脂接着剤１１を介して携帯電話２に接着される。このような樹脂接着剤１１としては、透光性の高い帯状フィルム接着剤を用いることが好ましい。
【００２７】
図２に示すように、広告表示シート１を携帯電話２に取り付ける場合には、挟み込み領域１０ｂ及び側面領域１０ｃを持ち上げることにより、挟み込み領域１０ｂ及び側面領域１０ｃと舌片領域１０ａとの間に間隙をつくる。このような間隙に携帯電話２を挿入する。上述の通り、一対の第１切り込み２０ａどうしの間隔Ｗ１は、携帯電話２の両側面の間隔（幅）Ｗ２と略同等である。
【００２８】
ここで、本実施形態に係る携帯電話２は、第１筐体４０と、第２筐体３０とを有する折畳み型の携帯電話である。
【００２９】
第１筐体４０は、第２筐体３０にヒンジ機構を介して連結される。本実施形態に係るヒンジ機構は、１軸開閉式のヒンジ機構である。従って、第１筐体４０と第２筐体３０とは、ヒンジ機構の軸方向を中心として回動可能に取り付けられる。即ち、第１筐体４０と第２筐体３０とは、ヒンジ機構を介して開閉することができる。
【００３０】
第１筐体４０は、キーが配置されたキー配置面４０ａとキー配置面４０ａの反対側に設けられた背面４０ｂ（図６参照）を有する。背面４０ｂには、カメラレンズやバッテリなどが配設される（図６参照）。
【００３１】
第２筐体３０は、画像が表示される画像表示面３０ａと画像表示面３０ａの反対側に設けられた正面３０ｂ（図５参照）を有する。正面３０ｂには、サブディスプレイなどが設けられる（図５参照）。
【００３２】
携帯電話２を二つ折りにした状態では、キー配置面４０ａと画像表示面３０ａとが内側で対向し、背面４０ｂと正面３０ｂとが携帯電話２の主面となる。
【００３３】
（広告表示シート１の取り付け状態）
次に、携帯電話２における広告表示シート１の取り付け状態について、図３乃至図７を用いて説明する。
【００３４】
図３に示すように、挟み込み領域１０ｂは、キー配置面４０ａ上に配設される。挟み込み領域１０ｂは、樹脂接着剤１１を介してキー配置面４０ａに接着される。側面領域１０ｃは、携帯電話２の外側に配設される。また、広告表示領域５は正面３０ｂ側に配設され、舌片領域１０ａは背面４０ｂ側に配設される。
【００３５】
図４に示すように、舌片領域１０ａは、背面４０ｂに沿って配設される。側面領域１０ｃは、携帯電話２の両側面に沿って斜めに延びる。即ち、側面領域１０ｃは、キー配置面４０ａから正面３０ｂに向かって延びる。広告表示領域５は、正面３０ｂ側に配設される。広告表示領域５は、第１筐体４０の主面と略平行に配設される。なお、上述のように、挟み込み領域１０ｂは樹脂接着剤１１を介してキー配置面４０ａに接着されるため、側面領域１０ｃはキー配置面４０ａ付近で湾曲する。
【００３６】
図５及び図６に示すように、挟み込み領域１０ｂは、携帯電話２が折畳まれた状態で、キー配置面４０ａと画像表示面３０ａとの間に挟まれる。広告表示領域５は、携帯電話２のヒンジ機構から上方に向かって配設される。広告表示領域５と非広告表示領域１０との境界は、ヒンジ機構付近に位置する。なお、携帯電話２の開閉前後において広告表示シート１の取り付け位置は変わらない。
【００３７】
図７に示すように、挟み込み領域１０ｂは、キー配置面４０ａと画像表示面３０ａとの間に挟まれる。広告表示領域５は、第１筐体４０の主面と略平行に配設される。
【００３８】
（作用及び効果）
本実施形態に係る広告表示シート１は、非広告表示領域１０は、一対の第１切り込み２０ａ及び第２切り込み２０ｂの内側に設けられた舌片領域１０ａと、第２切り込み２０ｂの外側に設けられた挟み込み領域１０ｂとを有し、舌片領域１０ａは、背面４０ｂに沿って配置され、挟み込み領域１０ｂは、携帯電話２が折畳まれた状態で、キー配置面４０ａと画像表示面３０ａとの間に挟まれる。
【００３９】
このように、広告表示領域５は、舌片領域１０ａと挟み込み領域１０ｂとによって支持される。従って、広告表示シートを携帯電話に貼り付ける場合に比べて、広告表示領域５が曲がる（前傾、又は、後傾する）ことを抑制することができる。その結果、広告表示シートによる広告機能が向上する。
【００４０】
また、携帯電話２の外面に広告表示シートを接着剤で貼り付ける必要がないため、広告表示シートを張り替えたとしても、携帯電話２の外観が損なわれることがない。
【００４１】
また、本実施形態に係る広告表示シート１は、一対の第１切込み２０ａの間隔Ｗ１は、携帯電話２の両側面の間隔Ｗ２と略等しい。広告表示シート１は、可撓性を有する。
【００４２】
従って、携帯電話２（第１筐体４０）の厚みによって、広告表示領域５及び舌片領域１０ａの両端部は、キー配置面４０ａ側に引っ張られる。これにより、広告表示シート１は、携帯電話２の幅方向において全体的に撓む。その結果、広告表示領域５が曲がる（前傾、又は、後傾する）ことをさらに抑制することができる。即ち、広告表示シートによる広告機能をさらに向上することができる。
【００４３】
また、本実施形態に係る広告表示シート１は、挟み込み領域１０ｂが、キー配置面４０ａに接着される。
【００４４】
従って、広告表示シート１を携帯電話２に取り付ける位置を調整した後に、広告表示シート１を固定することができる。従って、折畳み型の携帯電話２を開いた状態であっても、広告表示シート１が携帯電話に取り付けられた状態を維持することができる。また、挟み込み領域１０ｂをキー配置面４０ａに接着しているため、携帯電話の外観品質が損なわれることもない。さらに、広告表示シート１は、舌片領域１０ａ及び挟み込み領域１０ｂによって携帯電話２に取り付けられるため、樹脂接着剤１１の塗布面積は小さくてよい。
【００４５】
なお、接着剤１１は高い透光性を有するため、キー配置面４０ａに配設されたキーの視認性を低下させない。
【００４６】
（その他の実施形態）
上述したように、本考案の一実施形態を通じて本考案の内容を開示したが、この開示の一部をなす論述及び図面は、本考案を限定するものであると理解すべきではない。この開示から当業者には様々な代替実施の形態が明らかとなろう。
【００４７】
例えば、上記実施形態では、矩形の広告表示シート１について説明したが、広告表示シート１の形態は矩形に限定されない。特に、広告表示領域５の外形は、特定の図形等の外形に合わせることができる。
【００４８】
また、携帯電話２の広告は、広告表示領域５の両面に記してもよい。特に、携帯電話２の背面４０ｂに配設された機能（例えば、カメラ機能）の特徴を広告表示領域５の裏面に表示することにより、さらなる訴求効果を得ることができる。
【００４９】
また、上記実施形態では、広告表示領域５を背面４０ｂと略平行に配設したが、必ずしも略平行でなくてもよい。
【産業上の利用可能性】
【００５０】
携帯電話の外観が損なわれることなく、広告機能の向上を図ることを可能とする広告表示シートを提供することができる。
【図面の簡単な説明】
【００５１】
【図１】本考案の実施形態に係る広告表示シート１の平面図である。
【図２】本考案の実施形態に係る広告表示シート１を携帯電話２に取り付ける場面について説明するための図である。
【図３】本考案の実施形態に係る広告表示シート１を取り付けた携帯電話２の正面図である（その１）。
【図４】本考案の実施形態に係る広告表示シート１を取り付けた携帯電話２の側面図である（その１）。
【図５】本考案の実施形態に係る広告表示シート１を取り付けた携帯電話２の正面図である（その２）。
【図６】本考案の実施形態に係る広告表示シート１を取り付けた携帯電話２の背面図である。
【図７】本考案の実施形態に係る広告表示シート１を取り付けた携帯電話２の側面図である（その２）。
【符号の説明】
【００５２】
Ｗ１…間隔
Ｗ２…間隔
１…広告表示シート
２…携帯電話
５…広告表示領域
１０…非広告表示領域
１０ａ…舌片領域
１０ｂ…挟み込み領域
１０ｃ…側面領域
１１…樹脂接着剤
１５ａ，１５ｂ…円形孔
３０…第２筐体
３０ａ…画像表示面
３０ｂ…正面
４０…第１筐体
４０ａ…キー配置面
４０ｂ…背面
【図１】
0003135796.tif 000003
【図２】
0003135796.tif 000004
【図３】
0003135796.tif 000005
【図４】
0003135796.tif 000006
【図５】
0003135796.tif 000007
【図６】
0003135796.tif 000008
【図７】
0003135796.tif 000009